(57)【要約】【課題】画像記録の停止後にロール紙の慣性による回転で用紙の繰り出しが継続することによって本体装置の内部にまで弛みが生じるという課題がある。【解決手段】２個の固定ローラ６１及び６２と、これら２個の固定ローラを支持する装置フレームにおいて２個の固定ローラの軸中心を結ぶ仮想平面に直交する方向に形成された案内溝６５と、２個の固定ローラ間の間隙よりも大きな直径を有する１個の扱きローラ６３と、該扱きローラ６３を回動端の切り込み溝６６に滑動自在に保持し、該保持する扱きローラ６３を案内溝６６に沿い仮想平面に対し進退する矢印ｄ方向へ移動させる回動アーム６４と、を備え、回動アーム６４は、連続媒体５の搬送が停止したとき扱きローラ６３を２個の固定ローラ方向へ移動させ連続紙を扱きローラと２個の固定ローラとで挟持させ連続紙を巻き癖除去装置１４内に固定する。【選択図】図３
2011037533.tif 000002
【特許請求の範囲】
【請求項１】
ロール状の連続紙を搬送する搬送路に配置される巻き癖除去装置において、
２個の固定ローラと、
該２個の固定ローラを支持する装置フレームにおいて前記２個の固定ローラの軸中心を結ぶ仮想平面に直交する方向に形成された案内溝と、
前記２個の固定ローラ間の間隙よりも大きな直径を有する１個の扱きローラと、
該扱きローラを回動端の切り込み溝に滑動自在に保持し、該保持する前記扱きローラを前記案内溝に沿い前記仮想平面に対し進退する方向へ移動させる回動アームと、
を備え、
前記回動アームは、
前記連続紙の搬送中は、前記扱きローラを前記仮想平面から離間する方向へ移動させるよう回動して前記扱きローラにより前記連続紙を前記２個の固定ローラの間にＶ字形に張設して前記連続紙の巻き癖を除去し、
前記連続紙の搬送が停止したとき、前記扱きローラを前記仮想平面に近接する方向へ移動させるよう回動して前記連続紙を前記扱きローラと前記２個の固定ローラとで挟持させ前記連続紙を装置本体内に固定する、
ことを特徴とする巻き癖除去装置。
【請求項２】
ロール状の連続紙を搬送する搬送路に配置される巻き癖除去装置において、
案内溝を有するフレームと、
該フレームに支持される固定ローラと、扱きローラと、回動アームと、連続媒体保持用ローラと、を備え、
前記固定ローラは軸中心を含む仮想平面が前記搬送路に平行するように２個配置され、
前記扱きローラは前記２個の固定ローラの間の位置で前記案内溝に沿い前記連続紙を前記仮想平面に垂直な方向に押圧可能に１個配置され、
前記回動アームは、前記連続紙の搬送中は、前記連続紙を前記２個の固定ローラの間にＶ字形に張設して前記連続紙の巻き癖を除去する位置まで前記扱きローラを移動させるよう回動し、前記連続紙の搬送が停止したときは、搬送停止に対応する回動に連動させて前記連続媒体保持用ローラと、前記扱きローラと協働して又は前記２個の固定ローラのいずれか一方又は両方と協働して、前記連続紙を挟持させ、該連続紙を装置本体内に固定する、
ことを特徴とする巻き癖除去装置。
【請求項３】
前記連続媒体保持用ローラは、前記案内溝に沿い、前記扱きローラに対向して配置され、
前記回動アームは、前記連続紙の搬送中は前記扱きローラと前記２個の固定ローラとにより前記連続紙の巻き癖を除去する位置まで前記扱きローラを移動させるよう回動し、前記連続紙の搬送停止の際は前記扱きローラと前記連続媒体保持用ローラとにより前記連続紙を装置本体内に固定する位置まで前記扱きローラを移動させるよう回動する、
ことを特徴とする請求項２記載の巻き癖除去装置。
【請求項４】
前記連続媒体保持用ローラは、固定して配置され、
前記回動アームは、前記連続紙の搬送停止の際は、前記連続紙の搬送時の位置よりも更に前記仮想平面から離間する方向に回動し、
前記扱きローラは、前記連続媒体保持用ローラに圧接し、該連続媒体保持用ローラと協働して前記連続紙を挟持し該連続紙を装置本体内に固定する、
ことを特徴とする請求項３記載の巻き癖除去装置。
【請求項５】
前記連続媒体保持用ローラは、付勢部材に付勢されて前記回動アームの外側面に滑接し且つ前記回動アームの回動に伴われて前記案内溝に沿って摺動可能に配置され、
前記前記回動アームは、前記連続紙の搬送停止の際は、前記仮想平面に対し前記連続紙の搬送時の位置よりも反対方向へ離間する方向に回動し、
前記扱きローラは、前記連続媒体保持用ローラに圧接し、該連続媒体保持用ローラと協働して前記連続紙を挟持し該連続紙を装置本体内に固定する、
ことを特徴とする請求項３記載の巻き癖除去装置。
【請求項６】
前記連続媒体保持用ローラは、前記扱きローラに対し前記仮想平面から反対方向へ離間する位置で、前記回動アームの回動端に形成された支持部により支持され、
前記回動アームは、前記連続紙の搬送停止の際は、前記連続紙の搬送時の位置よりも更に前記仮想平面から離間する方向に回動し、
前記連続媒体保持用ローラは、前記２個の固定ローラの方向へ移動し、該２個の固定ローラと協働して前記連続紙を挟持し該連続紙を装置本体内に固定する、
ことを特徴とする請求項２記載の巻き癖除去装置。
【請求項７】
前記連続媒体保持用ローラは、
前記案内溝の近傍に形成された他の案内溝に沿って摺動可能に構成され、
前記連続紙の搬送時には前記２個の固定ローラの一方の固定ローラに対向し該一方の固定ローラより離間した位置に配置され、
前記連続紙の搬送が停止したとき、前記回動アームが前記扱きローラを前記連続紙に対する押圧方向と反対方向に移動させるよう回動することに連動して、前記一方の固定ローラ方向に移動し、該一方の固定ローラと協働して前記連続紙を挟持し該連続紙を装置本体内に固定する、
ことを特徴とする請求項２記載の巻き癖除去装置。
【請求項８】
前記連続媒体保持用ローラは、ワイヤーとワイヤープーリーから成る連結機構を介して前記回動アームの回動に連動する、ことを特徴とする請求項７記載の巻き癖除去装置。
【請求項９】
前記連続媒体保持用ローラは、
該連続媒体保持用ローラのローラ軸に一端を当接させ、他端に係合部を有し、前記一端と前記他端の間に支点を有する回動レバーと、
該回動レバーを介し前記連続媒体保持用ローラを前記仮想平面より離間する方向へ付勢する付勢部材と、
前記回動アームの回動端に設けられ、該回動アームの搬送停止時の回動に応じて前記回動レバーの前記係合部に係合して、前記付勢部材の付勢力に抗して前記連続媒体保持用ローラを前記一方の固定ローラ方向に移動するよう前記回動レバーを回動させるピンと、
から成る連動機構により前記回動アームの回動に連動する、
ことを特徴とする請求項７記載の巻き癖除去装置。
【請求項１０】
ロール状の連続紙から成る記録媒体を搬送して該記録媒体に記録ヘッドにより画像を記録する画像記録装置において、
請求項１に記載の巻き癖除去装置を前記記録媒体の搬送路に配置して前記記録媒体の巻き癖を除去する、
ことを特徴とする画像記録装置。
【請求項１１】
ロール状の連続紙から成る記録媒体を搬送して該記録媒体に記録ヘッドにより画像を記録する画像記録装置において、
請求項２乃至９のいずれか１項に記載の巻き癖除去装置を前記記録媒体の搬送路に配置して前記記録媒体の巻き癖を除去する、
ことを特徴とする画像記録装置。
【発明の詳細な説明】
【技術分野】
【０００１】
本発明は、長尺の記録媒体の巻き癖を解消する巻き癖除去装置、及びこれを備えた画像記録装置に関する。
【背景技術】
【０００２】
従来、画像記録装置として、例えばインクを吐出して記録媒体上に画像を記録するインクジェット方式の画像記録装置や、トナーなどの乾式現像剤を用いて記録媒体に画像を記録する電子写真方式の画像記録装置が知られている。
【０００３】
これら画像記録装置は、一般的にカット紙（枚葉紙）を記録媒体として用いているが、カット紙のみならず、長尺なロール紙（連続紙）を記録媒体として用いて画像記録を行っているものもある。
【０００４】
このようなロール紙を用いた画像記録装置では、ロール紙を収容する収容部からロール紙を装置内部の画像記録を行う画像記録部に供給する。ここで、供給されるロール紙には、ロール紙特有の巻き癖を有している。そのため、画像記録部に搬送されるまでにロール紙の巻き癖を除去する必要がある。
【０００５】
例えば、特許文献１には、カール補正装置として２本のローラの間に移動可能な１本のローラを設け、この移動可能なローラの移動により、ロール紙の巻き癖を除去する構成が提案されている。
【先行技術文献】
【特許文献】
【０００６】
【特許文献１】特開平１０−２６５１１０号公報
【発明の概要】
【発明が解決しようとする課題】
【０００７】
ところで、ロール紙を用いた画像記録装置では、画像記録が停止したとき、ロール紙は極めて大きく重量も有るので、画像記録時の回転の慣性で直ちには回転を停止することはできず用紙の繰り出しが継続して用紙に弛みが生じることが多々有る。
【０００８】
プリンタの本体装置の手前、例えばカール癖矯正装置とロール紙供給装置の間で弛みが生じるのであれば、弛みは本体装置とロール紙供給装置との間の外部空間に生じているので、弛みの修復はで容易にできる。
【０００９】
しかし、画像記録の停止後に繰り出された用紙が本体装置内に引き込まれて本体装置内で弛みが生じると、その弛みの修復は容易ではない。また、弛み部分によって画像記録部、例えば、インクジェットプリンタの場合、弛み部分がインクヘッドと接触することによりインクヘッドの故障にも繋がる。
【００１０】
したがって、本体装置内の用紙搬入口近傍で、用紙の搬送を強制的に停止させる必要がある。
しかしながら、特許文献１の従来技術には、画像記録の停止後に、ロール紙の慣性による回転で用紙の繰り出しが継続することによって本体装置の内部にまで弛みが生じることへの解消方法又は防止方法については、何らの提案も示唆も記載されていない。
【００１１】
すなわち、特許文献１の従来技術には、画像記録の停止後に、ロール紙の慣性による回転で用紙の繰り出しが継続することによって本体装置の内部にまで弛みが生じるという課題がある。
【課題を解決するための手段】
【００１２】
上記の課題を解決するために、本発明の巻き癖除去装置は、ロール状の連続紙を搬送する搬送路に配置される巻き癖除去装置において、２個の固定ローラと、該２個の固定ローラを支持する装置フレームにおいて２個の固定ローラの軸中心を結ぶ仮想平面に直交する方向に形成された案内溝と、２個の固定ローラ間の間隙よりも大きな直径を有する１個の扱きローラと、該扱きローラを回動端の切り込み溝に滑動自在に保持し、該保持する扱きローラを案内溝に沿い仮想平面に対し進退する方向へ移動させる回動アームと、を備え、回動アームは、連続紙の搬送中は、扱きローラを仮想平面から離間する方向へ移動させるよう回動して扱きローラにより連続紙を２個の固定ローラの間にＵ字形に張設して連続紙の巻き癖を除去し、連続紙の搬送が停止したとき、扱きローラを仮想平面に近接する方向へ移動させるよう回動して連続紙を扱きローラと２個の固定ローラとで挟持させ連続紙を装置本体内に固定する、ことを特徴とする。
【００１３】
また、上記の課題を解決するために、本発明の巻き癖除去装置は、ロール状の連続紙を搬送する搬送路に配置される巻き癖除去装置において、案内溝を有するフレームと、該フレームに支持される固定ローラと、扱きローラと、回動アームと、連続紙保持用ローラと、を備え、固定ローラは軸中心を含む仮想平面が搬送路に平行するように２個配置され、扱きローラは２個の固定ローラの間の位置で案内溝に沿い連続紙を仮想平面に垂直な方向に押圧可能に１個配置され、回動アームは、連続紙の搬送中は、連続紙を２個の固定ローラの間にＶ字形に張設して連続紙の巻き癖を除去する位置まで扱きローラを移動させるよう回動し、連続紙の搬送が停止したときは、搬送停止に対応する回動に連動させて連続紙保持用ローラと、扱きローラと協働して又は２個の固定ローラのいずれか一方又は両方と協働して、連続紙を挟持させ、該連続紙を装置本体内に固定する、ことを特徴とする。
【００１４】
また、上記の課題を解決するために、本発明の画像記録装置は、ロール状の連続紙から成る記録媒体を搬送して該記録媒体に記録ヘッドにより画像を記録する画像記録装置において、上記本発明の巻き癖除去装置を記録媒体の搬送路に配置して記録媒体の巻き癖を除去する、ことを特徴とする。
【発明の効果】
【００１５】
本発明の巻き癖除去装置及びそれを用いた画像記録装置は、画像記録の停止時に本体装置内に用紙の弛みが発生することを防止することができるという効果を奏する。
【図面の簡単な説明】
【００１６】
【図１】本発明の実施例１〜６に係る巻き癖除去装置を備えた画像記録装置における記録媒体の搬送系を示す概略的な正面図である。
【図２】実施例１〜６に係る巻き癖除去装置において共通する構成の斜視図である。
【図３】図２のＢ−Ｂ´断面矢視図である。
【図４】実施例１に係る巻き癖除去装置の主要部の構成と動作を示す図である。
【図５】実施例２に係る巻き癖除去装置の主要部の構成と動作を示す図である。
【図６】実施例３に係る巻き癖除去装置の主要部の構成と動作を示す図である。
【図７】実施例４に係る巻き癖除去装置の主要部の構成と動作を示す図である。
【図８】実施例５に係る巻き癖除去装置の主要部の構成と動作を示す図である。
【図９】実施例６に係る巻き癖除去装置の主要部の構成と動作を示す図である。
【発明を実施するための形態】
【００１７】
以下、本発明の実施の形態について、詳細に説明する。
図１は、本発明の実施例１〜６に係る巻き癖除去装置を備えた画像記録装置における記録媒体の搬送系を示す概略的な正面図である。
【００１８】
図１に示すように、画像記録装置１は、装填された長尺の連続媒体５を引き出して給送する給送部２と、連続媒体５を搬送する搬送部、連続媒体５上に画像を記録する画像記録部及び画像記録部のクリーニングを行うクリーニングユニットを有するプリンタ部３と、画像記録された連続媒体５を切断するカッタ部４と、切断後の用紙搬送経路を有する排出部５５とで構成される。
【００１９】
これらの構成部は、図示しないパーソナルコンピュータやＣＰＵ等の演算処理部を搭載する不図示の制御部により制御される。この制御部には、必要なプログラムやデータ等を記憶するメモリを備えている。
【００２０】
まず、給送部２について説明する。この給送部２は、例えば巻回されたロール紙等の連続媒体５と、連続媒体５を装填する紙管固定シャフト７と、紙管固定シャフト７を回転可能に支持するスタンド６と、連続媒体５の供給速度に制動を与えるブレーキ８と、を有している。
【００２１】
スタンド６は、紙管固定シャフト７を回転可能に支持している。紙管固定シャフト７は、不図示のエアー注入口よりエアーを注入することにより複数の爪部が押し出されて、半径方向に突出する。この爪部は連続媒体５の紙管の内径面に食い込み、連続媒体５を保持する。
【００２２】
また、紙管固定シャフト７には、プーリとベルトを介してブレーキ８が連結されている。
このブレーキ８は、連続媒体５の搬送方向（矢印Ａが示す方向）とは、逆方向にバックテンションを与える制動機能を有している。尚、ブレーキ８は、不図示の連続媒体残量検知機構により検出された連続媒体５の残量に応じて、そのテンション力を調整している。この構成により、給送部２は、プリンタ部３に連続媒体５を送り出して供給する。
【００２３】
次に、プリンタ部３について説明する。プリンタ部３は、装置本体フレーム６０内に巻き癖除去装置１４と、複数の搬送用のフリーローラ１５、１６、・・・、２４、２５と、第１ドラム３０と、第２ドラム４０とで構成される連続媒体５の搬送部を備えている。
【００２４】
また、プリンタ部３は、第１ドラム３０の外周上方に設けられた第１画像記録部である第１記録ヘッド部３３と、第２ドラム４０の外周上方に設けられた第２画像記録部である第２記録ヘッド部４４を備えている。
【００２５】
さらに、プリンタ部３は、第１記録ヘッド部３３のクリーニングを行う第１クリーニングユニット３５、第２記録ヘッド部４４のクリーニングを行う第２クリーニングユニット４５を備えている。
【００２６】
このプリンタ部３は、給送部２から供給された連続媒体５を導入し、この連続媒体５を上述の搬送部により搬送し、第１記録ヘッド部３３により連続媒体５の第１面（例えば、表面側）にインクを吐出して画像記録を行い、次に、第２記録ヘッド部４４により連続媒体５の第２面（例えば、裏面側）にインクを吐出して画像記録を行なった後、この画像記録された連続媒体５をカッタ部４に送出する機能を有している。
【００２７】
次にプリンタ部３の各構成について詳細に説明する。
まず、画像記録部について説明する。なお、第１記録ヘッド部３３及び第２記録ヘッド部４４は、ともに同様な構成であるので、第１記録ヘッド部３３についてのみ説明し、第２記録ヘッド部４４については説明を省略する。
【００２８】
第１記録ヘッド部３３は、例えばシアン（Ｃ）、ブラック（Ｋ）、マゼンタ（Ｍ）、及びイエロー（Ｙ）の４色のインクを吐出するラインヘッド３４（３４ａ、３４ｂ、３４ｃ３４ｄ）と、ラインヘッド３４を保持するヘッド保持部材と、を有している。
【００２９】
なお、本実施形態におけるラインヘッド３４は、連続媒体５の幅に満たない短尺な記録ヘッドを複数用い、これらの記録ヘッドを連続媒体５の搬送方向に直交する方向に千鳥状に配置して、連続媒体５の記録領域幅以上となる長さに構成されている。
【００３０】
第１記録ヘッド部３３は、第１ドラム３０によって搬送される連続媒体５に対して、各ラインヘッド３４（３４ａ、３４ｂ、３４ｃ、３４ｄ）のノズルからインクを吐出し、画像記録を行っている。
【００３１】
次に、クリーニングユニットについて説明する。なお、第１クリーニングユニット３５と第２クリーニングユニット４５は、ともに同様な構成であるので、第１クリーニングユニット３５についてのみ説明し、第２クリーニングユニット４５についての説明は省略する。
【００３２】
第１クリーニングユニット３５は、第１記録ヘッド部３３の各ラインヘッド３４（３４ａ、３４ｂ、３４ｃ、３４ｄ）をクリーニングする。そのため、特には図示しないが、各ラインヘッド３４に対応したワイプブレードや吸引機構等の既知のクリーニング機構を有している。
【００３３】
この第１クリーニングユニット３５によって第１記録ヘッド部３３のクリーニングを行なう際、まず、第１記録ヘッド部３３を図１に示す状態から上昇させる。これにより、第１記録ヘッド部３３と第１ドラム３０の外周面との間に空間が形成される。次に、その形成された空間に向かって第１クリーニングユニット３５が移動し、第１記録ヘッド部３３と対向配置される。
【００３４】
これにより、第１クリーニングユニット３５は、第１記録ヘッド部３３のクリーニングを行なうことができるようになる。クリーニングが終わると、第１クリーニングユニット３５及び第１記録ヘッド部３３を図１に示す状態に戻す。
【００３５】
次に、プリンタ部３における連続媒体５の搬送する搬送部に関して説明する。給送部２から送り出された連続媒体５は、まず、巻き癖除去装置１４に搬送される。この巻き癖除去装置１４は、給送部２から送り出される直前までロール紙状であった連続媒体５の巻き癖を除去するために設けられている。なお、巻き癖除去装置１４の詳細な構成については、後述する。
【００３６】
巻き癖除去装置１４から送出された連続媒体５は、フリーローラ１５を経由して、第１ドラム３０に搬送される。これらフリーローラ１５、第１ドラム３０の回転軸３１は、装置本体フレーム６０に回転可能に支持されている。
【００３７】
なお、本実施形態の第１ドラム３０には、連続媒体５が３３０度の巻き付け角で巻き付けられている。このように、第１ドラム３０における連続媒体５の巻き付け角を３３０度くらい広く確保することで、連続媒体５は第１ドラム３０に対する巻き始めのテンションと第１ドラム３０に対する巻き終わりのテンションによって第１ドラム３０と連続媒体５との間の摩擦力が大きくなる。これにより第１ドラム３０と連続媒体５との間で滑りがなくなり、連続媒体５を第１ドラム３０に密着させて保持させることができる。よって、正確な用紙搬送とドラムの回転数制御が可能となる。
【００３８】
また、本実施形態の第１ドラム３０は、連続媒体５を介して、第２ドラム４０によって、回転する従動ドラムとなる。つまり、第１ドラム３０には、該第１ドラム自体を駆動させるためのモータは取り付けられていない。
【００３９】
第１ドラム３０の巻き終わり以降では、連続媒休５は、フリーローラ１６、１７、１８を経由して、第２ドラム４０に搬送される。これらフリーローラ１６、１７、１８、第２ドラム４０の回転軸４１は、装置本体フレーム６０に回転可能に支持されている。
【００４０】
なお、本実施形態の第２ドラム４０も前述した第１ドラム３０と同様に、連続媒体５が３３０度の巻き付け角で巻き付けられている。これにより、第２ドラム４０と連続媒体５との間の摩擦力が大きくなることから、第２ドラム４０と連続媒体５との間で滑りがなくなり、連続媒体５は第２ドラム４０に密着保持される。
【００４１】
第２ドラム４０に保持される連続媒体５は、第２ドラム４０の回転軸４１にプーリとベルトを介して連結された駆動モータ４２の駆動力によって搬送される。この構成により、最下流の第２ドラム４０は駆動ドラムとなる。
【００４２】
また、第２ドラム４０の回転軸４１には、位置検出部におけるエンコーダ４３と連結されている。これにより、エンコーダ４３は、第２ドラム４０の回転に伴って、該第２ドラム４０の回転位置に相当するパルス信号を出力する。
【００４３】
そして、エンコーダ４３から出力されたパルス信号は、第１記録ヘッド部３３および第２記録ヘッド部４４の各ラインヘッド３４を駆動する不図示の駆動制御基板に入力され、このパルス信号に同期して、各ラインヘッド３４はインクを吐出する。
【００４４】
つまり、連続媒体５は第１ドラム３０及び第２ドラム４０上で滑ることがなく同速度で搬送されるため、第２ドラム４０の回転に伴って出力されるパルス信号に基づいて、第１記録ヘッド部３３及び第２記録ヘッド部４４の吐出駆動を制御することができる。もちろん、第１ドラム３０及び第２ドラム４０のそれぞれにエンコーダを設け、第１記録ヘッド部３３及び第２記録ヘッド部４４の吐出駆動を制御してもよい。
【００４５】
次に、第２ドラム４０の巻き終わり以降では、連続媒体５は、装置本体フレーム６０に回転可能に支持されているフリーローラ１９、２０、テンションローラ２１、フリーローラ２２、２３、２４、２５を経由して、カッタ部４に搬送される。
【００４６】
テンションローラ２１には、ベルトを介して駆動モータ４６が連結されている。この駆動モータ４６を駆動させることで、テンションローラ２１は回転する。これによりテンションローラ２１は、連続媒体５に必要な張力を作用させて、第２ドラム４０の巻き終わり以降の連続媒体５のスリップを防ぐことができる。
【００４７】
テンションローラ２１を通過した連続媒体５は、装置上方に向かってフリーローラ２２、２３、２４、２５を経由してカッタ部４へと搬送される。
カッタ部４は、ニップローラ対２６とカッタローラ対５０とで構成されている。
【００４８】
このニップローラ対２６の一方のローラには、駆動モータ４７が連結されている。これによりニップローラ対２６は、駆動モータ４７によって回転し、連続媒体５を切断するカッタローラ対５０へと搬送する。
【００４９】
カッタローラ対５０は、連続媒体５を切断するための少なくとも１つのカット刃５３が取り付けられたカッタローラ５１と、カッタローラ５１と所定の間隔をあけて対向して設けられたアンビルローラ５２と、により構成されている。
【００５０】
これらカッタローラ５１とアンビルローラ５２とは、不図示のモータによって図中の矢印方向に回転する。これにより、ニップローラ対２６から送られてきた連続媒体５は、カッタローラ対５０によって所定の大きさにカットされて（以降、所定の大きさにカットされた連続媒体をカット媒体１２という）排出部５５へと排出される。
【００５１】
なお、ニップローラ対２６及びカッタローラ対５０は、外周面の速度が、プリンタ部３から搬送される連続媒体５の搬送速度と等速となるように制御されている。
排出部５５は、用紙搬送ガイド５６（５６ａ、５６ｂ）と、排出ローラ対５７（５７ａ、５７ｂ）と、排出トレイ５８とで構成されている。用紙搬送ガイド５６ａ、５６ｂは、カット媒体１２を排出ローラ対５７へと案内するために設けられている。
【００５２】
この用紙搬送ガイド５６ａ、５６ｂのうち用紙搬送ガイド５６ｂの端部は、アンビルローラ５２の外周面に当接する、又は連続媒体５の厚さよりも薄い間隔で近接して配置されている。
【００５３】
これにより、カッタローラ対５０で連続媒体５をカットした際においても、連続媒体５の先端（カット面）がアンビルローラ５２に巻き込まれることはなく、用紙搬送ガイド５６ａ、５６ｂの間を搬送させることができる。
【００５４】
排出ローラ対５７に送られたカット媒体１２は、排出ローラ５７ａ、５７ｂの回転により排出トレイ５８へと排出される。排出トレイ５８は、排出ローラ対５７によって排出されたカット媒体１２を収容する。
【００５５】
次に、巻き癖除去装置１４について、詳細に説明する。なお、本発明の巻き癖除去装置１４における実施例は、実施例１〜６まで６つの実施例がある。まず、最初に、６つの実施例すべてに共通する機構について説明する。
【００５６】
図２は、実施例１〜６に係る巻き癖除去装置において共通する構成の斜視図である。
図３は、図２のＢ−Ｂ´断面矢視図である。
図２及び図３に示すように、巻き癖除去装置１４は、装置フレーム６０（６０ａ、６０ｂ）に支持された固定ローラＡ６１、固定ローラＢ６２、その間において配置された扱きローラ６３、扱きローラ６３を上下に移動させるための回動アーム６４（６４ａ、６４ｂ）を有している。
【００５７】
装置フレーム６０には、固定ローラＡ６１と固定ローラＢ６２の軸中心を結ぶ仮想平面に直交する方向に、案内溝６５（６５ａ、６５ｂ）が形成されている。また、回動アーム６４の回動端（一端）には切り込み溝６６（回動アーム６４ａの切り込み溝６６は装置フレーム６０ａの陰になって見えない）が形成されている。
【００５８】
固定ローラＡ６１と固定ローラＢ６２は、装置フレーム６０にベアリングを介して回転可能に保持され、両ローラの上記の軸中心を含む仮想平面が、連続媒体５の搬送路に平行するように配置されている。これら固定ローラＡ６１及び固定ローラＢ６２のほぼ中間に、扱きローラ６３が配置されている。
【００５９】
扱きローラ６３は、その軸両端が装置フレーム６０の案内溝６５にベアリングを介して滑動自在に嵌入していると共に、更にその外側にベアリングを介して回動アーム６４の回動端（一端）に形成されている切り込み溝６６に滑動自在に嵌入している。
【００６０】
これにより、扱きローラ６３は、回動アーム６４が回動することに応じて、装置フレーム６０の案内溝６５に沿って上下に移動するようになっている。
連続媒体５は、図２及び図３に示すように、固定ローラＡ６１の上面、扱きローラ６３の下面、固定ローラＢ６２の上面に順次掛け渡されて、ロール紙として巻回されていたときの屈曲とは反対方向に屈曲して張設されながら通過することにより、ロール紙の巻き癖を除去している。
【００６１】
回動アーム６４の他端は、ベアリングを介して装置フレーム６０に回転可能に保持されているアーム保持シャフト６７に連結されて保持されている。このアーム保持シャフト６７には、ギア６８が設けられている。
【００６２】
ここで、装置フレーム６０ａには、モータブラケット６９を介してアーム駆動用モータ７１が取り付けられている。このアーム駆動用モータ７１のモータ軸先端には、上下２個のギアブラケット７２（７２ａ、７２ｂ）の間に位置固定されたウォームギア７３が取り付けられている。
【００６３】
そして、このウォームギア７３とアーム保持シャフト６７に固設されたギア６８とは噛合しているので、アーム駆動用モータ７１の正逆両方向の回転に応じて、回動アーム６４が、時計回り方向又は反時計回り方向に回動する。これにより、回動アーム６４の切り込み溝６６に保持された扱きローラ６３は、案内溝６５に沿って上下いずれかの方向に移動し、巻き癖を除去している。換言すれば、回動アーム６４は、連続媒体５の搬送中は、連続媒体５を２個の固定ローラＡ６１とＢ６２の間にＶ字形に張設して、連続媒体５の巻き癖を除去する位置まで扱きローラ６３を移動させるよう回動する。この移動位置は、ロール紙の残量を検知するセンサの出力信号に基づいて、不図示の制御部によりアーム駆動用モータ７１の回転が制御されることにより決定される。
【００６４】
続いて、以下、実施例１〜６に係る巻き癖除去装置について順次説明するが、各実施例の巻き癖除去装置に共通する基本的構造及び動作は、図２及び図３に示した通りであり、各実施例で変更していない限り新たに説明はしない。
【実施例１】
【００６５】
図４は、実施例１に係る巻き癖除去装置の主要部の構成と動作を示す図であり、上に連続媒体の搬送時の状態を示し、下に連続媒体の搬送停止時の状態を示している。同図で扱きローラ６３の番号に続いて括弧内に示すＡ〜Ｄの符号は、扱きローラ６３のそのときどきの配置位置を示している。
【００６６】
位置Ｂ、Ｃ、Ｄは、それぞれ連続媒体５の巻き癖を除去する必要があるときの位置であり、扱きローラ６３は、連続媒体５の使いはじめで巻き癖が小さい時は位置Ｂに配置され、連続媒体５の使い終わりで巻き癖が大きい時は位置Ｄに配置され、連続媒体５の使いかけ中間では位置Ｃに配置される。また、位置Ａは、連続媒体５の搬送停止時における扱きローラ６３の位置である。
【００６７】
本実施例における扱きローラ６３の直径は直径Ｗである。この扱きローラ６３の直径Ｗは、固定ローラＡ６１と固定ローラＢ６２との間の間隔ｗよりも大きく設定されている。これにより、扱きローラ６３が位置Ａに配置されたとき、扱きローラ６３の外周面が連続媒体５を介して固定ローラＡ６１と固定ローラＢ６２の両周面を押圧する。
【００６８】
すなわち、連続媒体５の印刷が終了し、印刷を継続せず装置が停止される場合、又は緊急により装置が非常停止した場合、不図示の制御部は回動アーム６４を扱きローラ６３が位置Ａに配置されるように回動させる。これにより、扱きローラ６３は、固定ローラＡ６１及び固定ローラＢ６２と協働して連続媒体５を挟持し、連続媒体５を巻き癖除去装置１４内に固定する。
【００６９】
このように、図１のプリンタ部３における連続媒体搬入口に配置されている巻き癖除去装置１４は、搬送停止時に慣性によって給送部２から連続媒体５が巻き出されたとしても、巻き癖除去装置１４より上流側に弛みが生じるだけで巻き癖除去装置１４より下流側に弛みを生じさせない。これにより、弛みの修復が容易であり、且つ、弛んだ部分がラインヘッド３４に衝突することがない。
【００７０】
また、制御部は、不図示の連続媒体残量検知センサによる連続媒体５の残量に基づいて扱きローラ６３の最適位置を算出し、回動アーム６４の初期位置を基準にして最適位置まで回動させる。
【００７１】
すなわち、連続媒体５の残量に基づいて扱きローラ６３を矢印ｄ方向に移動させ、扱きローラ６３の位置を位置Ｂ、又は位置Ｃ、又は位置Ｄとすることで連続媒体５の巻き癖を除去することができる共に、搬送停止時には扱きローラ６３の位置を位置Ａとして連続媒体５を把持して固定することができる。
【００７２】
なお、巻き癖除去装置１４には、回動アーム６４の位置を検出する不図示のアーム位置検センサが設けられている。このアーム位置検出センサが回動アーム６４を検出した位置を初期位置とし、制御部は、回動アーム６４を最適位置まで回動させる。
【実施例２】
【００７３】
図５は、実施例２に係る巻き癖除去装置の主要部の構成と動作を示す図である。本実施例では、同図に示すように、通常の巻き癖除去装置の構成に連続媒体保持用ローラ７４を追加した構成となっている。なお、本実施例では、扱きローラ６３の直径は、２個の固定ローラＡ６１とＢ６２の間の間隔により狭く形成されている。
【００７４】
また、本実施例の場合も、扱きローラ６３の番号に続いて括弧内に示すＡ〜Ｄの符号は、扱きローラ６３のそのときどきの配置位置を示している。
位置Ｂ、Ｃ、Ｄは、それぞれ連続媒体５の巻き癖を除去する必要があるときの位置であり、扱きローラ６３は、連続媒体５の使いはじめで巻き癖が小さい時は位置Ｂに配置され、連続媒体５の使い終わりで巻き癖が大きい時は位置Ｄに配置され、連続媒体５の使いかけ中間では位置Ｃに配置される。また、位置Ａは、連続媒体５の搬送停止時における扱きローラ６３の位置である。
【００７５】
連続媒体保持用ローラ７４は、両端が装置フレーム６０（６０ａ、６０ｂ）に固定して取り付けられている。この連続媒体保持用ローラ７４の表面は装置停止時（搬送停止時）に連続媒体５を挟み込んだ場合、連続媒体５が移動できないように滑りにくいゴム等による表面処理が施されている。
【００７６】
この連続媒体保持用ローラ７４は、扱きローラ６３に対し案内溝６５の延長線上に位置し、扱きローラ６３よりも更に仮想平面から離間する位置に設定されている。換言すれば、連続媒体５に対する最大張設時の扱きローラ６３の位置Ｄよりも更に仮想平面から離間する位置に設定されている。
【００７７】
ここで本実施例の動作を説明する。回動アーム６４は、連続媒体５の搬送中は、連続媒体５の巻き癖を除去する位置（位置Ｂ、Ｃ、Ｄ）まで扱きローラ６３を移動させるよう回動する。そして、連続媒体５の印刷が終了し印刷を継続せず装置を停止する場合、又は緊急により装置が非常停止する場合は、連続媒体５の搬送時の位置よりも更に仮想平面から離間する方向に回動して、扱きローラ６３を位置Ａに設定する。
【００７８】
位置Ａにおいて、扱きローラ６３は、連続媒体５を介して連続媒体保持用ローラ７４に圧接され、連続媒体保持用ローラ７４と協働して連続媒体５を挟持し、連続媒体５を巻き癖除去装置１４内に固定する。このような動作によって生じる本実施例２の作用・効果は、実施例１の場合と同様である。
【実施例３】
【００７９】
図６は、実施例３に係る巻き癖除去装置の主要部の構成と動作を示す図である。本実施例も、同図に示すように、通常の巻き癖除去装置の構成に連続媒体保持用ローラ７５を追加した構成となっている。なお、本実施例では、扱きローラ６３の直径は、２個の固定ローラＡ６１とＢ６２の間の間隔により狭く形成されている。
【００８０】
また、本実施例の場合も、扱きローラ６３の番号に続いて括弧内に示すＡ〜Ｄの符号は、扱きローラ６３のそのときどきの配置位置を示している。
位置Ｂ、Ｃ、Ｄは、それぞれ連続媒体５の巻き癖を除去する必要があるときの位置であり、扱きローラ６３は、連続媒体５の使いはじめで巻き癖が小さい時は位置Ｂに配置され、連続媒体５の使い終わりで巻き癖が大きい時は位置Ｄに配置され、連続媒体５の使いかけ中間では位置Ｃに配置される。また、位置Ａは、連続媒体５の搬送停止時における扱きローラ６３の位置である。
【００８１】
連続媒体保持用ローラ７５は、ベアリング７６を介して装置フレーム６０の案内溝６５に滑動自在に嵌入され、軸端部を回動アーム６４に保持されているバネ７７により、回動アーム６４の側面７８に押し付けられている。
【００８２】
このバネ７７は、回動アーム６４の外面に設けられた支持軸７９に固定され、一端は回動アーム６４に設けられているストッパ８１に当て付いて係止し、他端が連続媒体保持用ローラ７５の軸端部に当て付いて、その付勢力により上記のように連続媒体保持用ローラ７５の両軸端を回動アーム６４の側面７８に押圧している。
【００８３】
これにより、回動アーム６４の回動に伴って連続媒体保持用ローラ７５も回動アーム６４の側面７８を滑動しながら案内溝６５に沿って、上下に移動する。
この連続媒体保持用ローラ７５の軸端部が接触する回動アーム６４の側面７８は、根元から先端まで１つの平面を形成しているのではなく、先端部方向でＲ付きの段差８２が形成され、先端部の側面が根元方向の側面よりも、切り込み溝６６に保持されている扱きローラ６３に近接するようになっている。
【００８４】
これにより、連続媒体の停止制御によって扱きローラ６３の位置が回動アーム６４の回動によって位置Ａになる時、連続媒体保持用ローラ７５は、回動アーム６４の側面７８と案内溝６５の両方に沿って移動すると共に、段差８２を超えて回動アーム６４の側面７８の先端部の側面に移動して、連続媒体５を介して扱きローラ６３を押圧する。
【００８５】
なお、連続媒体５の印刷中は、つまり連続媒体５の搬送中は、回動アーム６４は扱きローラ６３が位置Ｂ、又は、位置Ｃ、又は位置Ｄに配置されるように回動している。この範囲では、扱きローラ６３と連続媒体保持用ローラ７５は接触しない位置関係に設定されている。したがって、連続媒体５の印刷時は、扱きローラ６３と連続媒体保持用ローラ７５で連続媒体５を挟み込むことはない。
【００８６】
連続媒体５の印刷が終了し、印刷を継続せず装置を停止する場合、又は緊急により装置を非常停止させた場合は、回動アーム６４は扱きローラ６３を位置Ａとなるように回動する。
【００８７】
これにより、連続媒体保持用ローラ７５が、回動アーム６４の先端部のより扱きローラ６３に近接する側面に移動し、連続媒体５を介して扱きローラ６３を押圧する位置にくる。この状態で停止することで、扱きローラ６３と連続媒体保持用ローラ７５で連続媒体５を挟持し、連続媒体５を巻き癖除去装置１４内に保持して固定することができる。本例の場合も、上記の動作による作用・効果は実施例１の場合と同様である。
【実施例４】
【００８８】
図７は、実施例４に係る巻き癖除去装置の主要部の構成と動作を示す図である。本実施例も、同図に示すように、通常の巻き癖除去装置の構成に加えて、回動アーム６４に支持部８３を設け、この支持部８３に連続媒体保持用ローラ８４を追加した構成となっている。
【００８９】
連続媒体５の印刷中は、回動アーム６４は、扱きローラ６３を、他の実施例の場合と同様に、連続媒体５の残量に応じて回動する。このとき連続媒体保持用ローラ８４は、固定ローラＡ６１及びＢ６２よりも仮想平面から離間した位置にあり、固定ローラＡ６１及びＢ６２とは接触しない位置にある。したがって、連続媒体５の印刷中は、連続媒体保持用ローラ８４と固定ローラＡ６１及びＢ６２とで連続媒体５を挟み込むことはない。
【００９０】
連続媒体５の印刷が終了し、印刷を継続せず装置を停止する場合、又は緊急により装置を非常停止させた場合は、回動アーム６４がさらに図の反時計回り方向に回動する。これにより、連続媒体保持用ローラ８４は、回動アーム６４の支持部８３に伴われて回動移動し、連続媒体５を介して固定ローラＡ６１と固定ローラＢ６２の両ローラを押圧する位置（図７の破線で示す位置）にくる。この位置が連続媒体５を保持する位置となる。
【００９１】
連続媒体保持用ローラ８４は、連続媒体５を介して固定ローラＡ６１と固定ローラＢ６２の両ローラを押圧する位置で停止することで、固定ローラＡ６１及び固定ローラＢ６２とで連続媒体５を挟持し、巻き癖除去装置１４内に連続媒体５を保持して固定する。本例の場合も、上記の動作による作用・効果は実施例１の場合と同様である。
【実施例５】
【００９２】
ところで、上述した実施例１〜４は、いずれも連続媒体５を挟持して固定する際、扱きローラ６３による癖が発生する虞がある。
好ましくは、何ら曲げの外力が掛からない方法で連続媒体５を保持して固定することができれば、より良い固定方法といえる。このより良い固定方法を採用した巻き癖除去装置の構成について、実施例５及び６として以下に説明する。
【００９３】
図８は、実施例５に係る巻き癖除去装置の主要部の構成と動作を示す図である。本実施例も、同図に示すように、通常の巻き癖除去装置の構成に、連続媒体保持用ローラ８５を追加した構成となっている。なお、本実施例においても、扱きローラ６３の直径は、２個の固定ローラＡ６１とＢ６２の間の間隔により狭く形成されている。
【００９４】
また、本実施例の場合も、扱きローラ６３の番号に続いて括弧内に示すＡ〜Ｄの符号は、扱きローラ６３のそのときどきの配置位置を示している。
位置Ｂ、Ｃ、Ｄは、それぞれ連続媒体５の巻き癖を除去する必要があるときの位置であり、扱きローラ６３は、連続媒体５の使いはじめで巻き癖が小さい時は位置Ｂに配置され、連続媒体５の使い終わりで巻き癖が大きい時は位置Ｄに配置され、連続媒体５の使いかけ中間では位置Ｃに配置される。また、位置Ａは、連続媒体５の搬送停止時における扱きローラ６３の位置である。
【００９５】
ここで本実施例における連続媒体保持用ローラ８５について説明する。なお、連続媒体保持用ローラ８５は、搬送停止時に連続媒体５を挟み込んだ場合、連続媒体５が動きにくいように、ローラ表面には滑りにくいゴム等の表面処理が施されている。
【００９６】
図２及び図３に示した装置フレーム６０には、案内溝６５の近傍に図８に示す他の案内溝８６が形成されている。具体的には、案内溝８６は、２個の固定ローラの一方の固定ローラＡ６１の直上に形成されている。
【００９７】
そして、この案内溝８６には、連続媒体保持用ローラ８５がベアリングを介して滑動自在に嵌入されている。これにより、連続媒体保持用ローラ８５は、案内溝８６に沿って固定ローラＡ６１と対向した状態で移動可能となる。
【００９８】
また、連続媒体保持用ローラ８５の両軸端には、ワイヤー８７の一端が係止している。ワイヤー８７は複数のワイヤープーリー８８（８８ａ、８８ｂ、８８ｃ）に掛け渡され、ワイヤー８７の他端は、回動アーム６４の先端部に設けられた止軸８９に係止している。
【００９９】
これにより、連続媒体保持用ローラ８５は、ワイヤー８７及びワイヤープーリー８８からなる連結機構を介して回動アーム６４の回動に連動する。
すなわち、回動アーム６４がアーム保持シャフト６７を支点にして両向き円弧矢印ｍで示すように正逆時計回り方向に回動すると、ワイヤー８７は、この回動に連動して両向き矢印ｎ、ｏで示すように進退する。これによって、連続媒体保持用ローラ８５は、案内溝８６に沿って両向き矢印ｐで示すように、固定ローラＡ６１に接離する方向に進退する。
【０１００】
この構成において、連続媒体保持用ローラ８５の動作について説明する。連続媒体５の搬送中、上述したように回動アーム６４によって扱きローラ６３は、位置Ｂ、位置Ｃ、位置Ｄのそれぞれに移動する。この時、連続媒体保持用ローラ８５は、回動アーム６４の回動に連動して固定ローラＡ６１に接離する方向に進退する。なお、扱きローラ６３の位置が位置Ｂの時、連続媒体保持用ローラ８５は、連続媒体５を介して固定ローラＡ６１を押圧しない位置となっている。
【０１０１】
そして、連続媒体５の印刷が終了し印刷が継続されず装置が停止する場合、又は緊急により装置が非常停止した場合、つまり連続媒体５の搬送を停止させるとき、回動アーム６４が扱きローラ６３を連続媒体５に対する押圧方向（位置Ｂ、Ｃ、又はＤ）と反対方向（位置Ａ）に移動させるよう回動する。
【０１０２】
この回動に連動して、ワイヤー８７がワイヤープーリー８８の配置経路に沿って両向き矢印ｎの上方向、両向き矢印ｏの左方向への繰り出し可能になる。これにより、連続媒体保持用ローラ８５は、自重により（又は不図示の付勢部材の付勢力により）、案内溝８６に沿って両向き矢印ｐの下方向に移動して連続媒体５を介して固定ローラＡ６１を押圧する位置に来る。これと同時に、扱きローラ６３は、連続媒体５を押圧する位置から離れた位置Ａに移動し、その位置Ａを維持する。
【０１０３】
この状態で停止することで、連続媒体保持用ローラ８５は固定ローラＡ６１と協働して連続媒体５を挟持し、連続媒体５を巻き癖除去装置１４内に保持することができると共に、扱きローラ６３による連続媒体５に癖がつくおそれもない。
【実施例６】
【０１０４】
図９は、実施例６に係る巻き癖除去装置の主要部の構成と動作を示す図であり、上に連続媒体保持用ローラ８５と、回動アーム６４の回動を連続媒体保持用ローラ８５に伝達する連動レバー９１との係合関係を示し、下に主要部の構成と動作を示している。
【０１０５】
本実施例も、通常の巻き癖除去装置の構成に、連続媒体保持用ローラ８５を追加した構成となっている。また、本実施例も、扱きローラ６３の直径は、２個の固定ローラＡ６１とＢ６２の間の間隔により狭く形成されている。
【０１０６】
さらに、本実施例の場合も、扱きローラ６３の番号に続いて括弧内に示すＡ〜Ｄの符号は、扱きローラ６３のそのときどきの配置位置を示している。
位置Ｂ、Ｃ、Ｄは、それぞれ連続媒体５の巻き癖を除去する必要があるときの位置であり、扱きローラ６３は、連続媒体５の使いはじめで巻き癖が小さい時は位置Ｂに配置され、連続媒体５の使い終わりで巻き癖が大きい時は位置Ｄに配置され、連続媒体５の使いかけ中間では位置Ｃに配置される。また、位置Ａは、連続媒体５の搬送停止時における扱きローラ６３の位置である。
【０１０７】
ここで、本実施例における続紙保持用ローラ８５と連動レバー９１の構成と動作について以下に説明する。
図２及び図３に示した装置フレーム６０には、案内溝６５の近傍に図９に示すように、前述した実施例５の案内溝６５よりやや短い案内溝９２が形成されている。具体的には、案内溝９２は、２個の固定ローラの一方の固定ローラＡ６１の直上に形成されている。
【０１０８】
そして、この案内溝９２には、連続媒体保持用ローラ８５がベアリング９３を介して滑動自在に嵌入されている。これにより、連続媒体保持用ローラ８５は、案内溝８６に沿って固定ローラＡ６１と対向した状態で移動可能となる。
【０１０９】
また、連続媒体保持用ローラ８５の両軸端（ベアリング９３の更に外側）には、連動レバー９１の一方の端部９１ａが当接している。この連動レバー９１は、装置フレーム６０に設けられた支持軸９４を介して装置フレーム６０に対して回動自在に支持されている。
【０１１０】
この支持軸９４には、開きバネ９５も支持されている。この開きバネ９５の一方の端部９５ａは、連動レバー９１の一方の端部９１ａを連続媒体保持用ローラ８５の軸端に向けて付勢し、他方の端部９５ｂは、装置フレーム６０の不図示の係合穴に係止されている。これにより、連動レバー９１の一方の端部９１ａは、連続媒体保持用ローラ８５の両軸端に常に当接した状態となっている。なお、連続媒体保持用ローラ８５は、搬送停止時に連続媒体５を挟み込んだ場合、連続媒体５が動きにくいように、ローラ表面には滑りにくいゴム等の表面処理が施されている。
【０１１１】
一方、回動アーム６４の先端部には、レバー押し出しピン９６が配置されている。このレバー押し出しピン９６は、回動アーム６４によって扱きローラ６３が位置Ｂ、位置Ｃ、位置Ｄにある場合、連動レバー９１の他方の端部９１ｂと接触しない位置にある。
【０１１２】
そして、回動アーム６４が扱きローラ６３を連続媒体５に対する押圧方向（位置Ｂ、Ｃ、又はＤ）と反対方向（位置Ａ）に移動させるよう回動したときは、レバー押し出しピン９６が連動レバー９１の他方の端部９１ｂの先端部と接触するようになっている。
【０１１３】
この構成において、本実施例における連続媒体保持用ローラ８５の動作について説明する。連続媒体５の印刷時、回動アーム６４は、扱きローラ６３が位置Ｂから位置Ｄの間に配置されるように回動しているので、連動レバー９１の端部９１ｂにレバー押し出しピン９６が接触することはない。そのため、連動レバー９１は、連続媒体保持用ローラ８５を固定ローラＡ６１から離間するほうへ付勢している状態のままである。すなわち、連続媒体保持用ローラ８５は、固定ローラＡ６１から離間した位置（図中の実線で示した位置）を維持している。
【０１１４】
連続媒体５の印刷が終了し印刷が継続されず装置が停止する場合、又は緊急により装置が非常停止した場合は、つまり連続媒体５の搬送を停止させるとき、回動アーム６４が扱きローラ６３を連続媒体５に対する押圧方向（位置Ｂ、Ｃ、又はＤ）と反対方向（位置Ａ）に移動させるよう回動する。
【０１１５】
この時、回動アーム６４のレバー押し出しピン９６が連動レバー９１の他方の端部９１ｂの先端部に当接して、連動レバー９１を開きバネ９５の付勢力に抗して支持軸９４を支点にして反時計回り方向に回動させる。
【０１１６】
これにより、連動レバー９１の端部９１ａは、矢印ｇ方向に回動すると共に、連続媒体保持用ローラ８５は、固定ローラＡ６１方向へ移動し、連続媒体５を介して固定ローラＡ６１を押圧して停止する。すなわち、連続媒体保持用ローラ８５は、連続媒体保持用ローラ８５は固定ローラＡ６１と協働して連続媒体５を挟持し、連続媒体５を巻き癖除去装置１４内に保持することができると共に、扱きローラ６３による連続媒体５に癖がつくおそれもない。
【０１１７】
以上のように、本発明の実施例によれば、連続媒体５（ロール紙）の搬送停止時に、プリンタ部３（プリンタ装置本体）の給紙口近傍にある巻き癖除去装置内でロール紙を保持・固定してしまうので、ロール紙の慣性による回転継続で発生した弛みをプリンタ装置本体内に持ち込ませることがないため、装置内のロール紙の弛みによるヘッド部の損傷を防止する効果がある。
【０１１８】
また、ロール紙を交換する際は、巻き癖除去装置の手前で連続紙を切断するが、プリンタ本体装置内の搬送路に残るロール紙の自重により、切断部分が巻き癖除去装置内を通り過ぎて本体装置内に引き込まれて本体装置内でロール紙の弛みを生じることが防止され、本体装置の次回の動作時のＪＡＭ等の発生を防止することができるという効果がある。
【０１１９】
また、同様に、ロール紙を交換する際に切断したロール紙の端部が一旦本体装置内に引き込まれると、ロール紙を巻き癖除去装置内の元の位置に戻すのに非常に手数がかかり手間となるが、この手間の発生を容易に解消できるという効果がある。
【産業上の利用可能性】
【０１２０】
本発明は、長尺の記録媒体の巻き癖を解消する巻き癖除去装置、及びこれを備えた画像記録装置に利用することができる。
【符号の説明】
【０１２１】
１・・・画像記録装置、２・・・給送部、３・・・プリンタ部、４・・・カッタ部、５・・・連続媒体、６・・・スタンド、７・・・紙管固定シャフト、８・・・ブレーキ、１２・・・カット媒体、１４・・・巻き癖除去装置、２６・・・ニップローラ対、３０・・・第１ドラム、３３・・・第１記録ヘッド部、３４（３４ａ，３４ｂ，３４ｃ，３４ｄ）・・・ラインヘッド、３５・・・第１クリーニングユニット、４０・・・第２ドラム、４２・・・駆動モータ、４３・・・エンコーダ、４４・・・第２記録ヘッド部、４５・・・第２クリーニングユニット、４６・・・駆動モータ、４７・・・駆動モータ、  ５０・・・カッタローラ対、５１・・・カッタローラ、５２・・・アンビルローラ、５３・・・カット刃、５５・・・排出部、５６（５６ａ，５６ｂ）・・・用紙搬送ガイド、５７（５７ａ，５７ｂ）・・・排出ローラ対、５８・・・排出トレイ、６０（６０ａ，６０ｂ）・・・装置フレーム、６１・・・固定ローラＡ、６２・・・固定ローラＢ、６３・・・扱きローラ、６４（６４ａ，６４ｂ）・・・回動アーム、６５（６５ａ，６５ｂ）・・・案内溝、６６・・・切り込み溝、６７・・・アーム保持シャフト、６８・・・ギア、６９・・・モータブラケット、７１・・・アーム駆動用モータ、７２（７２ａ，７２ｂ）・・・ギアブラケット、７３・・・ウォームギア、７４，７５・・・連続媒体保持用ローラ、７６・・・ベアリング、７７・・・バネ、７８・・・側面、７９・・・支持軸、８１・・・ストッパ、８２・・・段差、８３・・・支持部、８４，８５・・・連続媒体保持用ローラ、８６・・・案内溝、８７・・・ワイヤー、８８（８８ａ，８８ｂ，８８ｃ）・・・ワイヤープーリー、８９・・・止軸、９１・・・連動レバー、９２・・・案内溝、９３・・・ベアリング、９４・・・支持軸、９５・・・開きバネ、９６・・・レバー押し出しピン
【図５】
2011037533.tif 000003
【図１】
2011037533.tif 000004
【図２】
2011037533.tif 000005
【図３】
2011037533.tif 000006
【図４】
2011037533.tif 000007
【図６】
2011037533.tif 000008
【図７】
2011037533.tif 000009
【図８】
2011037533.tif 000010
【図９】
2011037533.tif 000011